(57)【要約】  本発明は、火力発電用ボイラの壁を支持するための方法及び装置に関し、この火力発電用ボイラは通常、実際の火炉と、煙道ガスを処理する手段と、問題のボイラは循環流動層ボイラであるときは、ベッド材を循環させて火炉にそれを戻すための手段とを備える。本発明は特に、このようなボイラの壁（１２）を支持することに関し、そこでは火炉（１０）は特にその用途のために配置された鋼構造体の上部の支持面に懸架するように吊るされ、ボイラの垂直水管から形成される壁（１２）は、少なくとも、水管に実質的に直角に配置されたバックステー（２２）及びバックステー（２２）の外側に配置された垂直柱（２４）によって水平方向に支持され、その柱（２４）は地面又はボイラ建屋の基礎に取り付けられる。本発明に従って、ボイラ全体を取り囲む１つ又は複数の剛性面（３０）が柱（２４）に取り付けられかつボイラの両側の少なくとも２つの水管壁（１２）が前記柱（２４）に支持されることが、発電用ボイラの壁を支持するための方法及び装置の特徴である。
2009519430.tif 000002
【特許請求の範囲】
【請求項１】
火力発電用ボイラの火炉（１０）が特にその用途のために配置される鋼構造体の上部の支持面に懸架するように吊るされ、水管から形成される壁（１２）が、少なくとも、前記水管に実質的に直角に配置されたバックステー（２２）、及び前記バックステー（２２）の外側に配置された垂直柱（２４）によって水平方向に支持され、その柱（２４）が地面又は前記ボイラ建屋の基礎に取り付けられる、火力発電用ボイラの壁を支持するための方法において、
前記ボイラの両側に配置された前記壁（１２）のうちの少なくとも２つは、前記壁（１２）に直角に向けられる荷重が前記垂直柱（２４）によって伝達されて前記ボイラを取り囲む少なくとも１つの剛性面（３０）の内部応力になるように支持されることを特徴とする、火力発電用ボイラの壁を支持するための方法。
【請求項２】
請求項１に記載の支持方法において、前記支持は、前記壁（１２）の動きが前記ボイラの温度変化による動きによって引き起こされる方向にのみ可能であるように形成されることを特徴とする、支持方法。
【請求項３】
請求項１に記載の支持方法において、前記壁（１２）が、前記水管と平行な前記壁（１２）に取り付けられた梁（２６）によって前記柱（２４）に支持されることを特徴とする、支持方法。
【請求項４】
請求項３に記載の支持方法において、前記バックステー（２２）が、前記梁（２６）の外表面に取り付けられることを特徴とする、支持方法。
【請求項５】
請求項１から４のいずれか一項に記載の支持方法において、前記ボイラ全体を取り囲む少なくとも１つの剛性面（３０）が、前記柱（２４）に取り付けられることを特徴とする、支持方法。
【請求項６】
請求項４に記載の支持方法において、前記バックステー（２２）が、２つ以上のバックステーのグループ内で前記柱（２４）に連結されることを特徴とする、支持方法。
【請求項７】
請求項１に記載の支持方法において、前記壁（１２）が、２つ以上のバックステー（２２）の群に移動可能に支持されることを特徴とする、支持方法。
【請求項８】
請求項７に記載の支持方法において、前記ボイラの熱膨張により生じる動きが、前記壁（１２）とバックステー（２２）の各グループとの間で許容されることを特徴とする、支持方法。
【請求項９】
請求項６に記載の支持方法において、前記ボイラの熱膨張により生じる動きが、前記柱（２４）とバックステー（２２）の各グループとの間で許容されることを特徴とする、支持方法。
【請求項１０】
ボイラが水管から形成される壁（１２）を有し且つ特にその用途のために配置された鋼構造体の上部の支持面に懸架するように吊るされる火炉（１０）と、前記壁を支持するための前記水管に実質的に直角に配置されたバックステー（２２）と、前記ボイラの側面の前記バックステーの外側に配置され且つ前記地面又は前記ボイラ建屋の基礎に取り付けられる柱（２４）とを備える、火力発電用ボイラの壁を支持する装置において、
前記ボイラを取り囲む少なくとも１つの剛性面（３０）が前記柱（２４）に取り付けられ、前記ボイラの両側に配置された前記壁（１２）のうちの少なくとも２つが前記柱（２４）に支持されることを特徴とする、支持装置。
【請求項１１】
請求項１０に記載の支持装置において、前記壁（１２）が、前記水管と平行な前記壁に取り付けられた梁（２６）によって前記柱（２４）に支持されることを特徴とする、支持装置。
【請求項１２】
請求項１１に記載の支持装置において、前記梁（２６）が、前記ボイラの温度の変化による前記梁（２６）と前記柱（２４）との間での相対運動を許容する手段（２８）によって前記柱（２４）に支持されることを特徴とする、支持装置。
【請求項１３】
請求項１２に記載の支持装置において、前記垂直梁（２６）と前記柱（２４）との間での相対運動を許容する前記手段（２８）がピンとスロットの対から形成され、それによって前記スロット内の前記ピン（３８）の運動方向が前記ボイラの熱運動の方向に対応することを特徴とする、支持装置。
【請求項１４】
請求項１２に記載の支持装置において、前記垂直梁（２６）と前記柱（２４）との間での相対運動を許容する前記手段（２８）が１つのロール若しくは複数のロール、及び傾斜面によって形成され、前記傾斜面の方向が前記熱運動の方向に対応することを特徴とする、支持装置。
【請求項１５】
請求項１１から１４のいずれか一項に記載の支持装置において、前記バックステー（２２）が、前記梁（２６）によっていくつかのバックステーの群内で前記壁（１２）に取り付けられることを特徴とする、支持装置。
【請求項１６】
請求項１５に記載の支持装置において、前記バックステー（２２）が、前記梁（２６）によって前記柱（２４）に支持されることを特徴とする、支持装置。
【請求項１７】
請求項１０に記載の支持装置おいて、前記少なくとも１つの剛性面（３０）が、前記発電用ボイラを取り囲むトラス構造体から形成されることを特徴とする、支持装置。
【発明の詳細な説明】
【技術分野】
【０００１】
本発明は、発電用ボイラの壁を支持するための方法及び装置に関する。本発明は、火力発電用ボイラに関し、この火力発電用ボイラは通常、実際の火炉と、煙道ガスを処理するための手段と、また循環流動層ボイラの場合、ベッド材を循環させて火炉にそれを再循環させるための手段とを備える。本発明は特に、このようなボイラのパネル構造の壁を支持することに関する。
【背景技術】
【０００２】
従来、本発明の発電用ボイラには、いわゆる水管壁が設けられ、この水管壁はその間に板状のフィンを備える隣接する水管から成る。水管内で水を循環させる目的は燃焼の際に発生する熱を回収することである。しかし、このような水管壁はそのサイズを考慮すると、構造的に比較的軽量であり、それ自体曲がることなく、追加応力に耐えない。例えば、この応力は煙道ガス圧力の変化よって生じることがあり、したがって、壁は所望の形状を維持するように支持されなければならない。そのうえ、水管壁に追加の装置が設けられる場合には壁及びボイラ全体の熱膨張が考慮されなければならないということが知られている。
【０００３】
先に説明したタイプのパネル構造の壁は従来、水平方向に延在するバックステー・システム又はバックステー・フレームを利用することによって剛化され、このシステム又はフレームは、高温の火炉壁と、より冷温の梁との間で比較的自由な熱膨張差を許すようにコーナー連結組立体により互いに対して連結される梁を備える。梁フレームの数は火炉壁の剛性によって決定され、これはさらに水管壁の管のサイズ及び分布によって影響される。フレームを形成する梁は簡単に支持された梁として寸法取りされ、それによってそれらのサイズは壁の幅及び梁の垂直分布に基づいて決定される。
【０００４】
先行技術による発電用ボイラ壁の支持構成は、例えば、特許明細書及び公開された出願ＵＳ３，３７９，１７７、ＵＳ３，８１４，０６３、ＵＳ３，３６８，５３５、ＥＰ  Ｂ１−０  ５９１  １８３、ＪＰ−Ａ２−２１３０４５０５、ＪＰ−Ａ２−２２２５７３０３、ＪＰ−Ａ２−２０００２４０１、ＪＰ−Ａ２−０６１９３８０９、ＪＰ−Ａ２−５２１１３４０１、ＪＰ−Ａ２−０８２９６８０７、及びＪＰ−Ａ２−１１２４１８０５に開示されている。
【０００５】
米国特許第３，３７９，１７７号は、発電用ボイラ及びその壁の支持構造体を開示している。この公報は発電用ボイラを構成する１つの知られている方法を開示する。それの実質的な重要部分は、ボイラ構造体全体が鋼構造体に懸架するように吊るされ、より詳細には鋼構造体に属し且つボイラの上方に配置される支持面に懸架するように吊るされ、したがってボイラ壁の支持構造体もまた支持面に懸架するように吊るされることである。壁の支持構造体は、ボイラの各外壁にもたれて、水管に直角に配置された、垂直に相隔たるバックステーを備える。バックステーの取付けは壁とバックステーとの間に多少の動きを許し、バックステーの方向に壁の熱膨張／熱収縮を可能ならしめる。他方では、バックステーはボイラの壁に向かい合っているその側面の垂直Ｉビームに対してスライド可能に支持されている。各壁の幅を横切っていくつかのＩビームがあり、上で既に述べたようにこれらはボイラ建屋の鋼構造体に懸架するように、すなわち上述の支持面に懸架するように吊るされる。次にはこれらの垂直Ｉビームは、バックステーに向かい合っている側面の前記Ｉビームに溶接された水平方向に配置された梁フレームによって支持され、ボイラの各側面に配置された剛い梁トラスを備える。これらの梁トラスは可撓性のあるコーナー連結組立体によってボイラを取り囲む梁フレームを形成し、このことは、それらに関する限り、温度の変化により生じるボイラの外側寸法の変化を可能ならしめる。
【０００６】
また、米国特許第３，８１４，０６３号は、最上部を支持された発電用ボイラ、より正確には水管壁の支持構造体を実現する他の方法を開示している。この装置では、水管壁はＩビームに連結され、このＩビームは、ボイラと同じ方法で支持面に懸架するようにその最上部から取り付けられるが、ロッドの一端がこの垂直梁について摺動することができるように両端が継ぎ合わされたロッドによってボイラから離隔配置されている。このジョイント・ロッドは、いくつかの水管を横切って延在する実質的に正方形の脚部分によって水管壁に連結される。垂直Ｉビームは再び、ジョイント・ロッドに向かい合っているその側面から水平方向に配置されたトラス構造体（ボイラ全体を取り囲む）に取り付けられる。
【０００７】
また、ＪＰ−Ａ２−２１３０４５０５は、上部の支持面から懸架する最上部を支持された発電用ボイラ、並びに発電用ボイラの振動及び揺動が例えば地震の間中防止されるようにする装置を開示している。同時に、発電用ボイラの壁の支持装置が開示される。前記公報における先行技術の議論では、それの取付けが壁及びバックステーの熱膨張差を可能ならしめるように発電用ボイラの壁に実質的に水平方向にバックステーを取り付ける方法が開示されている。バックステーは実際には、取付座がボイラ壁に取り付けられるように特定の取付座によって壁に取り付けられる。バックステーはボルトによって取付座に取り付けられるが、それについては、バックステーに長孔が配置され、この長孔はその孔内で取付ボルトの長手方向の摺動を許容することによってボイラ壁及びバックステーの熱膨張差を可能ならしめる。バックステーは、各グループからの１つのバックステーがロッドに静止して取り付けられるように少数のバックステーのグループ内でボイラに向かい合っている側面から垂直ロッドに取り付けられるが、他のバックステーはボイラ壁の熱膨張によって要求されるようにロッドの長手方向に摺動することが許容される。次にはロッドが、垂直な摺動を許容するようにこのグループに支持された発電用ボイラの鋼構造体に取り付けられ、換言すれば、したがってボイラ壁の熱膨張は前記鋼構造体にいかなる垂直力も向けることはない。換言すれば、バックステーとそれに取り付けられた垂直ロッドは共に、発電所の鋼構造体の上部の支持面に懸架するようにボイラによって吊るされる。
【０００８】
なかんずく、ボイラ壁の支持構造体がボイラと共に、又は特別な別々の懸架手段によってボイラ建屋の鋼構造体の上部の支持面に懸架するように吊るされることは、上でより詳細に開示されたすべての装置、並びに上述の公報で述べられた他のすべての装置についての典型的な特徴である。
【発明の開示】
【発明が解決しようとする課題】
【０００９】
しかし、このように支持構造体を吊るすことはいくつかの欠点を引き起こす。吊るすことが上に説明された方法のどちらかによって行われたにかかわらず、懸架方法に応じて、少なくとも、バックステー、バックステーに連結された垂直梁、及び垂直梁に連結された可能なトラス構造体から成る支持構造体の重量は、鋼構造体の全荷重のかなりの部分を形成する。そのうえ、ボイラのサイズが増大する時、支持構造体の重量が少なくとも同じ割合で増大することは明らかである。それによって当然、ボイラ及びそれの壁の支持装置の懸架用に使用される鋼構造体は負荷の増大と同じ割合で増大されなければならない。
【００１０】
しかし、水管壁の支持を変更することによって前記問題を最小限に抑えることが可能であり、これにより支持の大部分は、先行技術のいかなる最上部の支持懸架もなしで基礎等から直接に生じる。さらに、ボイラの上方支持レベルに負荷をかける支持構造体の重量は、システムがより軽量のバックステーによって働くようにボイラ壁の支持構造体を改変することによって、或いは、ボイラの上部の支持面に懸架するように支持構造体を吊るす必要なく支持構造体のできるだけ大きい部分が地面に支持され又はボイラ建屋の基礎に支持されるように配置することによって、低減され得る。
【００１１】
遭遇する他の問題は、バックステーがボイラ壁に関連して配置される先行技術による方法に拘わらず、バックステーにかなりの応力が働くことである。このことは、バックステーがその実際の用途、即ち、正規荷重に対してボイラ壁を支持するためばかりでなく、ボイラ壁に対して前方へ荷重を伝達するためにも使用されるからである。この種の構造体では、バックステーに圧縮、曲げ、及び捻じりのうちの少なくとも１つが同時に働く。
【課題を解決するための手段】
【００１２】
上述の欠点は火力発電用ボイラの壁を支持する方法の本発明により解消される。前記の方法では、火力発電用ボイラの火炉は、特にその用途のために配置された鋼構造体の上部の支持面に懸架するように吊るされ、水管から形成される壁は、少なくとも、水管に実質的に直角に配置されたバックステー、及びバックステーの外側に配置された垂直柱によって水平方向に支持され、その柱は地面又はボイラ建屋の基礎に取り付けられる。本発明による方法の特徴は、壁に直角に向けられた負荷が前記垂直柱によって伝達されてボイラを取り囲む少なくとも１つの剛性面の内部応力になるように、ボイラの両側に配置される壁のうちの少なくとも２つが支持されることである。
【００１３】
火力発電用ボイラの壁を支持するための本発明による装置であって、ボイラが、垂直水管から形成される壁を有し且つ特にその用途のために配置された鋼構造体の上部の支持面に懸架するように吊るされる火炉と、壁の外側に配置され且つ壁を支持するための水管に実質的に直角のバックステーと、バックステーの外側のボイラの側部に配置され且つ地面又はボイラ建屋の基礎に取り付けられる柱とを備える装置において、ボイラを取り囲む少なくとも１つの剛性面が柱に取り付けられ、ボイラの両側に配置された壁のうちの少なくとも２つが柱に支持されることが特徴である。
【００１４】
発電用ボイラの壁を支持するための方法及び装置についての他の特徴は添付図面において明らかになる。
【００１５】
本発明による取り付けの利点は当然のこととして、特にボイラ建屋に必要とされる鋼構造体の数が実質的に減少することである。したがって、建築材料の量がより少ないことと必要とされる作業時間の両方に鑑みて、完全なボイラプラントを構築することは先行技術の場合よりもさらに費用がかからないであろう。このことを明らかにするために、本発明による方法及び装置を適用することによって、当然ボイラのサイズに依存するが、数十トンからさらに数百トンまでの必要とされる鋼構造体の重量について節約が可能であることが例示され得る。
【００１６】
本発明の他の利点は、本発明の有利な実施例による構造体がバックステーの軽量化を可能にすることであり、これはこの構造体がバックステーの圧縮又は捩じりを引き起こさず、したがって対応する負荷に耐えるようにバックステーを寸法決めすることが必要でないからである。
【００１７】
述べるに値する本発明の第３の利点は、本発明の他の好ましい実施例による装置において、ボイラと分離器との間の空間が壁の支持を少しも失うことなく以前よりもより小さく構成され得るようにバックステーの軽量化ができることである。
【００１８】
発電用ボイラの壁を支持するための方法及び装置は、添付図面を参照して下記でより詳細に説明される。
【実施例】
【００１９】
図１は発電用ボイラの略断面図を概略的に示し、ボイラの対向する垂直壁の中央部分だけが示されるようにその下部及び上部は切断されている。このようにこの図面は、ボイラの懸架手段も流入材料又は流出材料のためのチャンネルも示していない。したがってこの図面は、多くの場合長方形を形成するボイラ壁１２、及びボイラ壁１２を実際に取り囲むことに関係がある手段１４によって取り囲まれた発電用ボイラの火炉１０の一部だけを示す。ボイラ壁１２は、やはり先行技術のボイラにより知られている方法で、水管パネルから形成され、その中に垂直水管が壁面に平行なフィンによって互いに連結されている。先行技術の説明と関連して上で述べたように、この種の水管壁は実質的に水平なバックステー（図では参照数字２２で標示される）によって火炉１０とは反対側から支持され、それによって、例えば煙道ガスの圧力チャージによるボイラ壁１２の外側への膨らみが防止されている。
【００２０】
図１とより詳細な図２は共に本発明の好ましい実施例による方法を示し、この方法は、ボイラ壁１２の水管の方向に直角に配置されたバックステー２２を支持し、且つ地面から又はより一般的には基礎、すなわち多くの場合ボイラ建屋の基礎から実質的にボイラの高さ全体を通じて延在する柱２４にボイラ壁１２を支持するというものである。少なくとも１つの柱２４がボイラの各側に配置される。図１及び図２は、本発明のこの好ましい実施例において垂直な梁２６、又は水管に平行な梁がボイラ壁１２にいかに取り付けられているかを示す。梁の取り付けは、ボイラ壁と梁の熱膨張差が取り付けに対して、即ち、ボイラ壁若しくは梁に対していかなる応力の追加も発生しないように１箇所から行われることが好ましい。梁２６は、水管が垂直である場合、ボイラ壁の高さの実質的な部分について途切れてない、或いは梁は複数の部分から形成されることができるが、この実施例によりこれは各ボイラ壁上に実質的に垂直な梁線を形成する。そのうえ、１つ又は複数のこの種の実質的に途切れない梁２６、或いは各ボイラ壁１２上にいくつかの短い梁から形成される梁線がある場合がある。上述のバックステー２２は、ボイラ壁１２に向かい合っている梁２６の側面に取り付けられている。ボイラ壁１２上にただ１つの梁または梁線がある場合には、梁２６に静止してバックステーを取り付けることが可能であるが、特により多くの梁２６がある場合、梁２６とバックステー２２との間の取り付けは、少なくとも１つだけ除いて全部の梁について可撓性のあることが重要である。このような可撓性のある取り付けは、例えば先行技術（例えばＪＰ−Ａ２−２１３０４５０５など）で開示されたように配置され得る。それに応じて、例えばＪＰ−Ａ２−２０００２４０１で開示したように、ボイラ壁１２のコーナーでバックステー２２の端部を互いに連結することが可能である。
【００２１】
また、図１及び図２は、バックステー２２を備える梁２６、又はバックステーを備える梁の部分がいかに垂直な柱２４に支持されるかを示す。これは取付け手段２８の使用によって行われる。この取付け手段により外側への梁２６のある一定の限定された運動が可能になる。換言すれば、ボイラの熱運動による長手方向と横方向の両方向への梁２６の変位が許容される。当然のこととして、壁の中心線を除いてボイラ壁の他の部分に取り付けられた梁２６がある場合、ボイラ壁の温度変化により生じる梁２６の横向きの運動もまた許容されなければならない。
【００２２】
図２は、実際のボイラの実際の水管壁が切り取られるように、内側から発電用ボイラ壁１２の支持体の一部の断面透視図を開示する。図は支持体構成を示し、その中にボイラの１つのボイラ壁にただ１つの梁線があり、梁２６は長手方向において複数の部分に分割されている。上で述べたように、主として支持されるべきボイラ壁の幅によって、しかしボイラの載せ台の寸法によってもまた、ボイラ壁により多くの梁又は梁線があり得るというこの点に留意されたい。したがって、ボイラ壁の支持体の寸法取りがバックステーのある一定の最大の曲げを基準にする時、垂直な柱２４及び垂直な梁線２６の数を増加することによってバックステーを軽量化することができる。
【００２３】
この例示の実施例では、３つの水平のバックステー２２が垂直梁２６の各部分に取り付けられている。当然、垂直梁２６に取り付けられるべきバックステー２２の数は、ボイラ壁を支持することに要求されるレベル、及び垂直梁の長さに大部分依存する。また、図面は柱２４に対する垂直梁２６の取り付け２８も示し、その取り付けは熱膨張により生じる寸法の変化を可能ならしめる。
【００２４】
さらに図２は、少なくとも１つの剛性面３０、好ましくは異なる高さで配置された多数の剛性面３０に対してボイラに向かい合っている側の、本発明の好ましい実施例による垂直柱２４の支持体を開示している。剛性面３０のそれぞれは、ボイラ全体を取り囲んでいる好ましいトラス構造を形成している。このトラス構造は、火炉１０からボイラ壁１２の支持体までボイラ壁に垂直に向けられた複数の力が、互いに対向する方向のおかげで、互いに補償するように、ボイラの少なくとも２つの対向する側面を共に結束するために使用される。したがって、この構造が上記力を剛性面３０の内部負荷に変えている。換言すれば、上述の構造配置により、剛性を与えた面が実際的に言って完全に剛である時、ボイラの各側面上の垂直柱２４はボイラの方向から生じる力のせいで動くこと又は曲がることができないが、上記力は剛性面３０に垂直柱２４と垂直梁２６との間の取付け手段２８によって伝達されることになる。
【００２５】
剛性面３０の間の垂直距離は、一方では垂直柱２４などの寸法によって、他方では面それ自体の寸法で決定される。当然のこととして、柱及び／又は面が軽量であればあるほど、剛性面は許容限界内で座屈荷重を維持するようにますます密集して配置されなければならないことは明らかである。ボイラに対する剛性面の位置選定は、例えばあるサービス又はメンテナンス手段のためにボイラ壁の近くに多少の空間を残しておく必要があるかどうか、或いは面がボイラ壁の直ぐ近くに配置され得るかどうかによって大部分決定され、それによって同時に歩行用又はサービス用面としてこの面を使用することができる。換言すれば、面は垂直柱に直接に配置され得るばかりでなく、必要に応じて、実際に図２に開示されるように、その用途のために適切な梁又は格子構造体によってボイラから所望の距離の範囲内に配置され得る。
【００２６】
図３は、垂直梁２６及び柱２４の取り付け２８の好ましい実施例を少しより詳細に示す。図３による取り付けは、直接に又は垂直梁２６に特殊ロッドによって取り付けられるプレート３２等と、やはり直接に又はプレート３２の両側に配置された特殊ロッドによって柱２４に取り付けられる２つのプレート３４等とを備える。長円形スロット３６が前記プレート３４に配置され、スロット３６に配置されるべきピン３８はプレート３２に取り付けられるかまたは配置される。スロット３６の方向はボイラの熱膨張により決定される。換言すれば、ボイラの懸架箇所に比較的近いボイラの最上部部分でのスロット３６は、ボイラの熱膨張がほとんど火炉の直径の増加としてだけそこに現れるので、ほとんど水平である。ボイラの下方端部において、熱膨張のかなりの部分はボイラの長さの増大として現れ、それゆえスロットの方向はボイラの下方と外方の両方である。換言すれば、ボイラの熱膨張はスロットの方向によって補償され、したがって熱膨張の結果として生じる応力はボイラ壁の支持体に全く向けられない。換言すれば、スロットの方向はボイラの熱膨張を補償するために使用され、したがってボイラの壁支持体に熱膨張の結果として生じるいかなる応力も実質的に働かない。当然、スロットの方向づけは、支持体が単に配置されるか、又はボイラの側壁の垂直中心線の側面にも配置される場合には、熱膨張の補償はスロットが下及び外にばかりでなく横向きのある一定の広がりにまで向けられねばならないことになる、ということも含む。しかし、ボイラ壁１２が例えばボイラの内側に発生する超過圧力のためにボイラ壁に直角な方向に膨らむ傾向がある場合、垂直梁２６は、プレート３４のスロット３６の側壁に押し当たって右に図のプレート３２によってピン３８を押す。それによって、例えば煙道ガスの圧力負荷がボイラ壁１２から柱２４まで、さらにそれから剛性面３０までピン３８によって伝達される。相応じて、負圧がボイラの内側に発生すると、ボイラ壁の支持体はスロット３６の他の側壁によって引き起こされた負荷を受けとめる。
【００２７】
上に示したプレート３２及びプレート３４、並びに或いはそれと共に用いられるロッド等は、開示された実施例においては、柱２４に対して２点で垂直梁２６を支持する。この構成はいくつかの利点を提供する。例えば、バックステー２２が熱膨張を許容する取付け方法によって柱に直接に取り付けられない時、バックステーは最も有利な方向以外の応力にさらされない、すなわち、図面に示された実施例においては、水平方向である。したがって、バックステーを曲げに対してだけ寸法決めすることが必要であり、それによりできるだけ軽量に構成された梁で足りることになる。
【００２８】
本発明の他の好ましい実施例により、図３で開示された取り付けはピン及びスロットを用いる支持体としてばかりでなく、２つの傾斜面又は同様な表面によっても実行されることができ、この面の傾斜角は上に述べたようにスロットの傾斜角に対応する。そのうえ、上述の面のうちの１つはアームの端部のところで少なくとも１つのロールによって置き換えられることができ、そのロールは傾斜面に沿って転動する。もちろん、ロールを利用する構成はまたスロットと共に使用されることができ、スロットに配置されるべきピンはロールの軸であり、ロールはスロットの表面に沿って転動する。ボイラ壁が内向きに潰れることを防止することが望まれる場合、面を通じて延在する長手方向のスロットを、上で開示した平面構成の面のうちの１つに配置することができ、そこまで対向する面から延在するボルト等は、そのボルトがボイラ壁の可能な内向きの動きを防止するように配置される。さらに、その用途のために適切なＴＥＦＬＯＮ等の材料で面を被覆することによってこの面の間の摩擦を減少させることができる。
【００２９】
上の開示は、柱型式についていかなる詳細な解析もせずに地面又はボイラ建屋の基礎に支持される垂直柱についての一般的な説明であったことに留意されたい。まず第１に、柱は、例えば連続Ｉビーム、箱桁、トラス構造梁であることができる。第２に、前記柱はボイラそれ自体、建屋、又はそれの補助装置を吊るすのに使用され得るが、またこれらはボイラ壁を支持するために使用される単に構造体用に設計され建造され得る。
【００３０】
上記から明らかになったように、先行技術の発電用ボイラの壁の支持構造体よりも明らかにより軽量でしたがってより費用のかからない支持体構成が提供される。また、上記ではボイラ壁を議論しているが、これは文字どおり単に火炉の壁を意味するのではなくて、例えば火炉で、又は何かの理由で圧力変化によりそれと共に連結される空間で支持することを必要とするより広いすべての壁を意味することにも留意されたい。したがって、また固形物分離器の壁もいくつかの特定のボイラ装置では論点になるであろう。しかし、上の説明は本発明による支持構成及び支持方法のいくつかの好ましい実施例だけを開示するものであり、それにより添付の請求の範囲に開示されたものによって本発明の範囲を限定することは決して許されないのである。
【図面の簡単な説明】
【００３１】
【図１】発電用ボイラの火炉の中央部分の断面図を概略的に示し、本発明による装置が使用されている図である。
【図２】より詳細に本発明による好ましい実施例による装置を示す図である。
【図３】図２に示される実施例の構造体をより詳細に示す図である。
【図１】
2009519430.tif 000003
【図２】
2009519430.tif 000004
【図３】
2009519430.tif 000005
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
火力発電用ボイラの火炉（１０）が特にその用途のために配置される鋼構造体の上部の支持面に懸架するように吊るされ、水管から形成される壁（１２）が、少なくとも、前記水管に実質的に直角に配置されたバックステー（２２）、及び前記バックステー（２２）の外側に配置された垂直柱（２４）によって水平方向に支持され、地面又は前記ボイラ建屋の基礎に取り付けられる、火力発電用ボイラの火炉（１０）の壁を支持するための方法において、
前記火炉（１０）の両側に配置された前記壁（１２）のうちの少なくとも２つは、前記壁（１２）に直角に向けられる荷重が前記垂直柱（２４）によって伝達されて前記ボイラを取り囲む少なくとも１つの剛性面（３０）の内部応力になるように支持されることを特徴とする、火力発電用ボイラの壁を支持するための方法。
【請求項２】
請求項１に記載の支持方法において、前記支持は、前記壁（１２）の動きが前記ボイラの温度変化による動きによって引き起こされる方向にのみ可能であるように形成されることを特徴とする、支持方法。
【請求項３】
請求項１に記載の支持方法において、前記壁（１２）が、前記水管と平行な前記壁（１２）に取り付けられた梁（２６）によって前記柱（２４）に支持されることを特徴とする、支持方法。
【請求項４】
請求項３に記載の支持方法において、前記バックステー（２２）が、前記梁（２６）の外表面に取り付けられることを特徴とする、支持方法。
【請求項５】
請求項１から４のいずれか一項に記載の支持方法において、前記ボイラ全体を取り囲む少なくとも１つの剛性面（３０）が、前記柱（２４）に取り付けられることを特徴とする、支持方法。
【請求項６】
請求項４に記載の支持方法において、前記バックステー（２２）が、２つ以上のバックステーのグループ内で前記柱（２４）に連結されることを特徴とする、支持方法。
【請求項７】
請求項１に記載の支持方法において、前記壁（１２）が、２つ以上のバックステー（２２）の群に移動可能に支持されることを特徴とする、支持方法。
【請求項８】
請求項７に記載の支持方法において、前記ボイラの熱膨張により生じる動きが、前記壁（１２）とバックステー（２２）の各グループとの間で許容されることを特徴とする、支持方法。
【請求項９】
請求項６に記載の支持方法において、前記ボイラの熱膨張により生じる動きが、前記柱（２４）とバックステー（２２）の各グループとの間で許容されることを特徴とする、支持方法。
【請求項１０】
火炉（１０）が特にその用途のために配置された鋼構造体の上部の支持面に懸架するように吊るされた火力発電用ボイラの火炉（１０）の水管壁を支持する装置にして、該装置が、前記壁を支持するための、前記水管に実質的に直角に配置されたバックステー（２２）を有している装置において、
前記装置が、前記ボイラの側面の前記バックステーの外側に配置され且つ前記地面又は前記ボイラ建屋の基礎に取り付けられる柱（２４）を有し、
前記ボイラを取り囲む少なくとも１つの剛性面（３０）が前記柱（２４）に取り付けられ、
前記火炉の両側に配置された前記壁（１２）のうちの少なくとも２つが、前記壁（１２）に直角に向けられた負荷が前記垂直柱（２４）によって前記少なくとも１つの剛性面（３０）の内部応力に移されるように、前記柱（２４）に支持されていることを特徴とする、支持装置。
【請求項１１】
請求項１０に記載の支持装置において、前記壁（１２）が、前記水管と平行な前記壁に取り付けられた梁（２６）によって前記柱（２４）に支持されることを特徴とする、支持装置。
【請求項１２】
請求項１１に記載の支持装置において、前記梁（２６）が、前記ボイラの温度の変化による前記梁（２６）と前記柱（２４）との間での相対運動を許容する手段（２８）によって前記柱（２４）に支持されることを特徴とする、支持装置。
【請求項１３】
請求項１２に記載の支持装置において、前記垂直梁（２６）と前記柱（２４）との間での相対運動を許容する前記手段（２８）がピンとスロットの対から形成され、それによって前記スロット内の前記ピン（３８）の運動方向が前記ボイラの熱運動の方向に対応することを特徴とする、支持装置。
【請求項１４】
請求項１２に記載の支持装置において、前記垂直梁（２６）と前記柱（２４）との間での相対運動を許容する前記手段（２８）が１つのロール若しくは複数のロール、及び傾斜面によって形成され、前記傾斜面の方向が前記熱運動の方向に対応することを特徴とする、支持装置。
【請求項１５】
請求項１１から１４のいずれか一項に記載の支持装置において、前記バックステー（２２）が、前記梁（２６）によっていくつかのバックステーの群内で前記壁（１２）に取り付けられることを特徴とする、支持装置。
【請求項１６】
請求項１５に記載の支持装置において、前記バックステー（２２）が、前記梁（２６）によって前記柱（２４）に支持されることを特徴とする、支持装置。
【請求項１７】
請求項１０に記載の支持装置おいて、前記少なくとも１つの剛性面（３０）が、前記発電用ボイラを取り囲むトラス構造体から形成されることを特徴とする、支持装置。